(57)【要約】【課題】  ケーブルが傷つくのを防ぐことができると共に、ドラム幅の増大を抑えることができ、簡単にケーブルを巻くことができ、巻き始め側のケーブルを容易に取り出せる線材巻き用ドラムを提供する。【解決手段】  胴３の両端に鍔４、５を設けてなり、裸線、絶縁線あるいはケーブル等の線材１を巻回して包装するための線材巻き用ドラム２において、鍔４の内面に線材１の巻き始め側１０を収納するための棚８を周方向に螺旋状になるよう、かつ、半径方向に複数条となるように配設し、螺旋状の棚８に線材１の巻き始め側１０を巻き付けて収納すると共に、線材１の巻き始め側１０を解すとき、棚８を切断して除去できるようにする。【選択図】  図２
2006321599.tif 000002
【特許請求の範囲】
【請求項１】
胴の両端に鍔を設けてなり、裸線、絶縁線あるいはケーブル等の線材を巻回して包装するための線材巻き用ドラムにおいて、上記鍔の内面に線材の巻き始め側を収納するための棚を周方向に螺旋状になるよう、かつ、半径方向に複数条となるように配設し、上記螺旋状の棚に線材の巻き始め側を巻き付けて収納すると共に、この線材の巻き始め側を解すとき、上記棚を切断して除去できるように構成したことを特徴とする線材巻き用ドラム。
【請求項２】
上記棚が発泡樹脂からなる請求項１記載の線材巻き用ドラム。
【請求項３】
上記棚は、上記鍔に接着剤で接合されて配設される請求項１又は２記載の線材巻き用ドラム。
【請求項４】
上記棚はブロック状に形成され、上記鍔に螺旋状に複数配列して設けられた請求項１〜３いずれかに記載の線材巻き用ドラム。
【請求項５】
上記棚は螺旋状に形成された請求項１〜３いずれかに記載の線材巻き用ドラム。
【発明の詳細な説明】
【技術分野】
【０００１】
本発明は、裸線、絶縁線あるいはケーブル等の線材を巻回して包装するための線材巻き用ドラムに関するものである。
【背景技術】
【０００２】
電線類は重量が重い場合は、運搬時の作業性を考慮して木製又は鉄製ドラムに巻き込むことが一般的である。ケーブルドラムは一例として電線工業会規格（ＪＣＳ）第８０７７号にも規定されているように、ケーブルの巻き始め端を固定する巻始口をドラムの鍔面の片側に設け、この巻始口にケーブル端部を固定し、ケーブルを順次内層から外層に向けて巻き込むことのできる構造が広く採用されている。
【０００３】
ところで、特殊な仕様のケーブルあるいは顧客要求により、ケーブル受入検査（検収）時などに電気特性確認の目的で巻き始め側を１０〜２０ｍ程度容易に巻き解すことが可能な包装が要求されることがある。この場合、上述のドラムでは、巻き始め側はドラムの最内層（内側）に位置し、その上層に巻かれたケーブルに覆い隠されていることが通常のため、巻き始め側のみを巻き解すことは不可能であった。
【０００４】
これに対応する方法としては、以下のものが知られている。
【０００５】
（従来技術１）
ケーブルの巻き始め側のうち、巻き解したいケーブル長（１０〜２０ｍ程度）を予めドラムの巻始口より鍔の外側に出し、その部分をループ状に束ね、鍔の外側に固定する方法。
【０００６】
（従来技術２）
図６及び図７に示すように、ケーブルドラム３０の巻き代３１を中間仕切り板３２で２分割し、分割した一方の第１巻き代３３に必要長の巻き始め側を巻き込み、他方の第２巻き代３４に残ケーブル側を巻き込む方法。
【０００７】
（従来技術３）
ケーブルドラムの内側にドラムの胴より大径に設定した棚を強固に固定して設け、この棚に巻き始め側を巻き込む方法。
【０００８】
（従来技術４）
特許文献１記載のように、ケーブルドラムの鍔内面に棚具を周方向に複数取り付け、これら棚具にケーブルを載置する方法。
【０００９】
【特許文献１】特開平０８−０２６６０１号公報
【発明の開示】
【発明が解決しようとする課題】
【００１０】
しかしながら、上述のいずれの方法にあっても以下の課題があり、改善の余地が残されていた。
【００１１】
（従来技術１）
ケーブルの巻き始め側がドラムの外側に位置するため、輸送時に外傷を受ける可能性が極めて高く、巻き始め側ケーブルの外傷防止のために多くの保護資材と労力を必要とするという課題があった。さらには、巻き始め側のケーブルが長い場合には、鍔の外側に出すループが複数条となって重量が重くなり、鍔への固定が難しくなるという課題があった。
【００１２】
（従来技術２）
巻き始め側を端からドラムに巻く場合、複数段巻くと巻き始め端が下層に埋もれてしまうため、一方の巻き代にケーブルの巻き始め側を重ねて巻くことはできず、１段巻きにしなくてはならない。このため、１０〜２０ｍの巻き始め側をドラムに巻くためにはドラムの幅方向に複数列べて巻かなくてはならず、ドラムの外周側にデッドスペースを生じ、結果としてドラムの幅が相当大きくなって荷扱に不都合を生じるという課題があった。そして、巻き始め側の巻き代と残ケーブル側の巻き代とで重量の不均衡が生じるため、ドラムの取り扱いが不安定になるという課題があった。
【００１３】
また、ケーブルの巻き始め側と残ケーブルとの境目を最初にドラムにあてがい、巻き始め側を上記境目側からドラムに巻き付ける場合、複数段巻いても巻き始め端が埋もれることはないが、ケーブルの巻き始め側をドラムから直線状に引き流す必要があり、長い作業スペースを必要とするという課題があった。また、巻き始め側をドラムに巻き込む作業は手作業に頼らざるを得ず、巻き始め側が長い場合は、多数の人員を必要とし、作業効率が悪いという課題があった。
【００１４】
（従来技術３）
従来技術２よりも１列（１巻き）当たりの巻付け長を長くすることはできるが、棚の直径は理論上最大でもドラムの鍔径からケーブル外径の２倍を減じた値までしか拡張できず、１列当たりの巻付け長はさほど増大しない。このため、巻き始め側が長い場合は従来技術２と同様に巻き始め側をドラムの幅方向に複数列べて巻かなくてはならず、ドラムの幅が大きくなると共に、ドラムの取り扱いが不安定になるという課題があった。
【００１５】
（従来技術４）
従来技術３と同様に１列当たりの巻付け長さを長くすることができるが、１列で巻ける長さは僅かであり、幅方向に複数列べて巻くとドラムの幅が大きくなると共に、ドラムの取り扱いが不安定になるという課題があった。なお、棚具は着脱自在となっているが、後述する本願発明のように径方向に複数段としてケーブルを周方向に螺旋状に巻くことはできない。たとえ棚具を周方向に螺旋状に、かつ、径方向に複数段となるように配列し、これら棚具にケーブルの巻き始め側を巻き付けたとしても、棚具は鍔からドラムの幅方向内側に引き抜くことで外れるようになっているため、残ケーブル側が巻かれた状態では棚具を鍔から外すことはできず、残ケーブル側を一旦巻き解し、棚具の先端を露出させない限り、棚具を取り外すことはできない。すなわち、残ケーブル側を巻いたままでは棚具を取り外すことはできず、２段目以下の棚具に巻かれたケーブルを巻き解すことはできない。
【００１６】
そこで、本発明の目的は、上記課題を解決し、ケーブルが傷つくのを防ぐことができると共に、ドラム幅の増大を抑えることができ、簡単にケーブルを巻くことができ、巻き始め側のケーブルを容易に取り出せる線材巻き用ドラムを提供することにある。
【課題を解決するための手段】
【００１７】
上記課題を解決するために本発明は、胴の両端に鍔を設けてなり、裸線、絶縁線あるいはケーブル等の線材を巻回して包装するための線材巻き用ドラムにおいて、上記鍔の内面に線材の巻き始め側を収納するための棚を周方向に螺旋状になるよう、かつ、半径方向に複数条となるように配設し、上記螺旋状の棚に線材の巻き始め側を巻き付けて収納すると共に、この線材の巻き始め側を解すとき、上記棚を切断して除去できるように構成したものである。
【００１８】
上記棚は発泡樹脂からなるものとするとよく、上記鍔に接着剤で接合されて配設されるものとするとよい。
【００１９】
上記棚はブロック状に形成され、上記鍔に螺旋状に複数配列して設けられるものとするとよい。
【００２０】
また、上記棚は螺旋状に形成されるものとしてもよい。
【発明の効果】
【００２１】
本発明によれば、ケーブルが傷つくのを防ぐことができると共に、ドラム幅の増大を抑えることができ、簡単にケーブルを巻くことができ、巻き始め側のケーブルを容易に取り出すことができる。
【発明を実施するための最良の形態】
【００２２】
本発明の好適実施の形態を添付図面を用いて説明する。
【００２３】
図１及び図２に示すように、ケーブル（線材）１を巻回して包装するケーブルドラム（線材巻き用ドラム）２は、筒状に形成された胴３の両端に鍔４、５を設けてなる。鍔４、５は円盤状に形成されており、中心に軸孔６を有する。また、鍔４、５同士は、通しボルト７で締め付けられることで胴３に一体に固定されている。
【００２４】
また、一方の鍔４の内面には、ケーブル１の巻き始め側１０を収納するための棚８が設けられている。棚８は、それぞれブロック状に形成されており、鍔４の周方向に螺旋状となるように、かつ、半径方向に複数条となるように複数配列して設けられている。
【００２５】
図３に示すように、棚８は、巻き付けるケーブル１が脱落しないように棚幅（軸方向の長さ）ＷRをケーブル仕上外径（直径）より数ｍｍ（ケーブル仕上外径の１０％程度）大きく形成されている。棚８の軸方向の寸法ＷRは、これ以上大きくすると、ドラム幅Ｗの増大に繋がり好ましくない。図２に示すように、棚８の周方向の長さＬRは、ケーブル１の重量を支え得る大きさに選定すれば任意である。棚８同士の径方向の間隔は、ケーブル仕上外径と棚厚さＴRに数ｍｍのクリアランスを加えた値を最小値とし、解すべきケーブル１の巻き始め側１０の長さに応じて適宜調整すればよい。
【００２６】
棚８は、それぞれケーブル１の重量を支え得る強度を有し、かつ、簡単な手工具（カッターナイフ等）で切断可能な発泡樹脂からなる。具体的には、棚８は、発泡倍率３０倍程度（密度約０．０３５ｇ／ｃｍ3）のエチレン・スチレン共重合体にて形成されている。また、棚８は、鍔４に接着剤で接合されて配設されている。接着剤は、クロロプレン系合成ゴム接着材からなる。クロロプレン系合成ゴム接着材は、木材、鉄等からなる鍔４とエチレン・スチレン共重合体からなる棚８との双方に塗布することでこれらを良好に接合できる。
【００２７】
本実施の形態の作用を述べる。
【００２８】
図１及び図２に示すように、ケーブルドラム２にケーブル１を巻く場合、まず、ケーブル１の巻き始め側１０の端を外周側に位置される棚８に固定し、螺旋状に配列された棚８に沿って巻き始め側１０を外周側から内周側に向けて巻き付ける。これにより、巻き始め側１０は、鍔内面９に沿う螺旋状に収納されることとなり、ケーブル１の直径より若干大きい程度の棚幅ＷR内に収まり、ドラム幅Ｗの増大を抑えることができる。また、巻き始め側１０を端からケーブルドラム２に巻けるため、巻き始め側１０を引き流す等の困難な作業をする必要はなく、ケーブル１を簡単に巻くことができる。この後、図３及び図４に示すように、残ケーブル側１１を通常の巻き方で胴３に多段に巻き付ける。このとき、棚８は、鍔４の代わりに残ケーブル側１１の巻き代１２を区画し、残ケーブル側１１が巻き始め側１０に干渉するのを防ぐと共に、残ケーブル側１１の巻回を容易なものとする。ケーブル１の巻き始め側１０は、鍔４の内側に収納されるため、輸送時等にケーブル１が外傷を受ける可能性は極めて低く、ケーブル１が傷つくのを防ぐことができる。
【００２９】
ケーブルドラム２から巻き始め側１０を解す場合、巻き始め側１０の端を棚８から外し、巻き始め側１０を巻き解す。巻き始め側１０を１周分巻き解すと、巻き始め側１０は露出された棚８の内周側となり、棚８に邪魔されて巻き解せなくなる。このようになったら、棚８をカッターナイフ等の手工具（図示せず）で切断して除去する。棚８は発泡樹脂で形成されているため、極めて容易に切断・除去できる。また、棚８はケーブル１よりも十分に柔らかいため、切断した棚８の角部に当たっても傷つくことはない。棚８を切断したら再び巻き始め側１０を巻き解せるだけ巻き解し、以降同様に棚８を切断・除去し、巻き始め側１０を巻き解すという作業を繰り返すことで容易に巻き始め側１０を全て巻き解すことができる。
【００３０】
このように、鍔４の内面にケーブル１の巻き始め側１０を収納するための棚８を周方向に螺旋状になるよう、かつ、半径方向に複数条となるように配設し、螺旋状の棚８にケーブル１の巻き始め側１０を巻き付けて収納すると共に、このケーブル１の巻き始め側１０を解すとき、棚８を切断して除去できるように構成したため、ケーブル１が傷つくのを防ぐことができると共に、ドラム幅Ｗの増大を抑えることができ、簡単にケーブル１を巻くことができ、巻き始め側１０のケーブル１を容易に取り出すことができる。
【００３１】
また、棚８が発泡樹脂からなるものとしたため、棚８をカッターナイフ等の簡単な手工具で容易に切断して除去でき、ケーブル１が棚８に擦れて傷つくのを防ぐことができる。
【００３２】
棚８は、鍔４に接着剤で接合されるものとしたため、鍔４の任意の位置に容易に取り付けることができる。また、鍔４に特別な加工をする必要がないため、既存のケーブルドラム２に後付けすることもできる。
【００３３】
棚８はブロック状に形成され、鍔４に螺旋状に複数配列して設けられるものとしたため、棚８を簡単な構造にでき、鍔４から容易に除去できる。
【００３４】
なお、ケーブル１を巻回して包装するケーブルドラム２について説明したが、これに限るものでなく、裸線、絶縁線等のケーブル１以外の線材を巻回して包装する線材巻き用ドラムであってもよいのは勿論である。
【００３５】
また、棚８は発泡樹脂からなるものとしたが、簡単な手工具で切断可能であれば他の材料からなるものとしてもよい。
【００３６】
発泡樹脂は、エチレン・スチレン共重合体からなるものとしたが、ケーブル１の重量を支え得る強度を有し、かつ、簡単な手工具で切断可能であれば他のものであってもよい。
【００３７】
また、棚８は、ブロック状に形成され、螺旋状に複数配列されるものとしたがこれに限るものではない。例えば、図５に示すように、棚２０は連続的な螺旋状に形成されるものであってもよい。この場合、棚２０が大型となるため、鍔４から除去する際に若干手間がかかるものとなるが、ケーブルが重く、かつ、ケーブルの曲げ剛性が小さい（柔軟性に富む）場合には、ブロック状の棚８よりもケーブルを良好に保持でき、より好ましい場合もある。
【実施例】
【００３８】
図６及び図７に示す従来のケーブルドラム３０を用いてケーブルを巻く場合と、図１〜図４に示す本発明に係るケーブルドラム２を用いてケーブルを巻く場合とでケーブルドラム２、３０の外径寸法を試算した。結果は表１に示す通りである。
【００３９】
ただし、ケーブルドラム２、３０に巻くケーブルは、仕上外径３５ｍｍ、全長４００ｍとし、巻き始め側の長さを１５ｍとした。また、比較を容易にするため、電線工業会規格で規定される号数Ｌ９−８の鍔径（直径１，３５０ｍｍ）、胴径（直径７００ｍｍ）を有するケーブルドラムで、ドラム幅を変更してケーブルの全長を巻き込むことのできるドラム寸法を求めた。表１中の「ドラム外幅」は、ドラム全内幅＋２×鍔厚さ（５０ｍｍ：電線工業会規格標準値）で算出した。
【００４０】
【表１】
2006321599.tif 000003
【００４１】
従来のケーブルドラム３０においては、巻き始め側（１５ｍ）を１段巻きとするには、巻き始め側を軸方向に６．５列並列巻きする必要があり、巻き始め側の幅は、２２８ｍｍ必要となる。残ケーブル（３８５ｍ）を残ケーブル側の巻き代に収納するためには、列数１６列×段数８段とする必要があるので、残ケーブル側のドラム幅を最低でも５６０ｍｍ必要とする。中間仕切り板は厚さ１２ｍｍ程度の積層板を使用するのが適切であり、ドラムの内幅としては、巻き始め側の幅（２２８ｍｍ）と、残ケーブル側のドラム幅（５６０ｍｍ）と、中間仕切り板の板厚（１２ｍｍ）との合計である８００ｍｍを必要とすることになる。
【００４２】
他方、本発明に係るケーブルドラム２は、棚厚さ（径方向の長さ）を３０ｍｍとし、棚同士の径方向の間隔を７０ｍｍと設定すれば、棚は最大５段にすることが可能であり、巻き始め側を１５ｍ収納することができる。棚の幅（軸方向の長さ）はケーブル外径より若干大きい４０ｍｍに設定した。残ケーブル側のドラム幅は従来のケーブルドラムと同じ５６０ｍｍ必要であり、ドラムの内幅としては、棚の幅（４０ｍｍ）と、残ケーブル側のドラム幅（５６０ｍｍ）との合計である６００ｍｍとなる。
【００４３】
これらの試算結果を比較すると、
（１）従来のケーブルドラム３０を用いるとドラム内幅で８００ｍｍ、外幅で９００ｍｍ必要となるのに対し、本発明に係るケーブルドラム２を用いるとドラム内幅で６００ｍｍ、外幅で７００ｍｍに抑えることができる。
（２）従来のケーブルドラム３０では荷作り容積が１．６４ｍ3となるのに対し、本発明に係るケーブルドラム２では、１．２８ｍ3に抑えることができ、荷作り容積を約２０％低減することができる。
【００４４】
すなわち、本発明に係るケーブルドラム２を採用することにより、ドラムの幅と、荷作り容積を低減することが可能となり、ケーブルドラムに使用する材料の節減のみならず、輸送時に使用するトラック類の積載効率を上げることにも貢献する。
【図面の簡単な説明】
【００４５】
【図１】本発明の好適実施の形態を示すケーブルドラムの斜視図である。
【図２】図１のＡ−Ａ線矢視断面図である。
【図３】図１のＢ−Ｂ線矢視断面図である。
【図４】ケーブルを巻いたケーブルドラムの正面図である。
【図５】他の実施の形態を示すケーブルドラムの側断面図である。
【図６】従来のケーブルドラムの正面図である。
【図７】従来のケーブルドラムの側面図である。
【符号の説明】
【００４６】
１  ケーブル（線材）
２  ケーブルドラム（線材巻き用ドラム）
３  胴
４  鍔
５  鍔
８  棚
１０  巻き始め側
２０  棚
【図１】
2006321599.tif 000004
【図２】
2006321599.tif 000005
【図３】
2006321599.tif 000006
【図４】
2006321599.tif 000007
【図５】
2006321599.tif 000008
【図６】
2006321599.tif 000009
【図７】
2006321599.tif 000010